(57)【要約】【課題】高精度の寸法形状を実現することができる分割固定子積層鉄心を提供する。【解決手段】複数の分割鉄心片２により構成される分割固定子積層鉄心１において、前記分割鉄心片２の円周部２ａの一方の端部に連結凸部３と、前記連結凸部３にスリット部３ａと、前記連結凸部３の前記スリット部３ａと接続される貫通孔３ｂと、前記分割鉄心片２の円周部２ａの他方の端部に前記連結凸部３と対応した形状の連結凹部４を形成し、前記分割鉄心片２の連結凸部３及び連結凹部４と隣接する前記分割鉄心片２の連結凸部３及び連結凹部４とを嵌合させた上で、各分割鉄心片２の連結凸部３の貫通孔３ｂにピン５又はスプリングピンを挿入することとした。【選択図】図１
2012115005.tif 000002
【特許請求の範囲】
【請求項１】
複数の分割鉄心片により構成される分割固定子積層鉄心において、
前記分割鉄心片の円周部の一方の端部に連結凸部と、
前記連結凸部にスリット部と、
前記連結凸部の前記スリット部と接続される貫通孔と、
前記分割鉄心片の円周部の他方の端部に前記連結凸部と対応した形状の連結凹部を形成し、
前記分割鉄心片の連結凸部及び連結凹部と隣接する前記分割鉄心片の連結凸部及び連結凹部とを嵌合させた上で、各分割鉄心片の連結凸部の貫通孔にピン又はスプリングピンを挿入する
ことを特徴とする分割固定子積層鉄心。
【発明の詳細な説明】
【技術分野】
【０００１】
本発明は、分割固定子積層鉄心に関する。
【背景技術】
【０００２】
従来、電動機において使用される分割固定子積層鉄心が知られている。例えば、下記特許文献１においては、分割ヨーク鉄心片をかしめ積層し、磁極に巻線した分割ヨーク鉄心積層体を円筒状に連結してなる分割固定子積層鉄心において、前記分割ヨーク鉄心片は磁極を備え、ヨーク円周の片側に沿って両端広がり連結突出部を形成し、他側に沿って両端広がり連結凹み部を形成する分割固定子積層鉄心が開示されている。
【先行技術文献】
【特許文献】
【０００３】
【特許文献１】特開平８−１８６９５８号公報
【発明の概要】
【発明が解決しようとする課題】
【０００４】
しかしながら、上記特許文献１に開示される分割固定子積層鉄心においては、製造上、連結突出部及び連結凹み部に嵌合するための多少の隙間が設けられている。このため、上記特許文献１に開示されるかしめ積層された分割ヨーク鉄心片を連結した場合、実際には、分割ヨーク鉄心片を連結させても剛性が低く、内外径などの寸法精度が出せない場合があった。すなわち、嵌合部である連結突出部及び連結凹み部には、嵌合させるため多少の遊びを設ける必要があり、このため高精度の分割固定子積層鉄心を形成することが困難であった。
【０００５】
以上のことから、本発明は、高精度の寸法形状を実現することができる分割固定子積層鉄心を提供することを目的とする。
【課題を解決するための手段】
【０００６】
上記の課題を解決するための第１の発明に係る分割固定子積層鉄心は、
複数の分割鉄心片により構成される分割固定子積層鉄心において、
前記分割鉄心片の円周部の一方の端部に連結凸部と、
前記連結凸部にスリット部と、
前記連結凸部の前記スリット部と接続される貫通孔と、
前記分割鉄心片の円周部の他方の端部に前記連結凸部と対応した形状の連結凹部を形成し、
前記分割鉄心片の連結凸部及び連結凹部と隣接する前記分割鉄心片の連結凸部及び連結凹部とを嵌合させた上で、各分割鉄心片の連結凸部の貫通孔にピン又はスプリングピンを挿入する
ことを特徴とする。
【発明の効果】
【０００７】
本発明によれば、高精度の寸法形状を実現することができる分割固定子積層鉄心を提供することができる。
【図面の簡単な説明】
【０００８】
【図１】本発明の実施例に係る分割固定子積層鉄心の構成を示した模式図である。
【図２】本発明の実施例に係る分割固定子積層鉄心における分割鉄心片の構成を示した模式図である。
【図３】本発明の実施例に係る分割固定子積層鉄心における連結前の状態を示した模式図である。
【図４】本発明の実施例に係る分割固定子積層鉄心における連結後の状態を示した模式図である。
【発明を実施するための形態】
【０００９】
以下、本発明に係る分割固定子積層鉄心を実施するための形態について、図面を参照しながら説明する。
【実施例】
【００１０】
以下、本発明に係る分割固定子積層鉄心の実施例について説明する。
はじめに、本実施例に係る分割固定子積層鉄心の構成について説明する。
図１は、本実施例に係る分割固定子積層鉄心の構成を示した模式図である。
図１に示すように、本実施例に係る分割固定子積層鉄心１は、複数の分割鉄心片２を円筒状に連結することにより構成されている。
【００１１】
図２は、本実施例に係る分割固定子積層鉄心における分割鉄心片の構成を示した模式図である。
図２に示すように、本実施例に係る分割固定子積層鉄心１における分割鉄心片２は、Ｔ字状の形状となっている。分割鉄心片２は、分割固定子積層鉄心１の円周部を形成する円周部２ａと、分割固定子積層鉄心１の磁極部を形成する磁極部２ｂとにより構成されている。
【００１２】
なお、分割鉄心片２は、複数の板状部材を積層して、かしめ積層により構成されているが、この構成は従来周知（例えば、上記特許文献１参照）の構成と同様であるため、ここでの説明は省略する。また、磁極部２ｂには巻線が巻かれるが、この構成についても従来周知（例えば、上記特許文献１参照）の構成と同様であるため、ここでの説明は省略する。
【００１３】
分割鉄心片２の円周部２ａの一方の端部には、円形状の凸部（以下、連結凸部３という）が形成されている。連結凸部３には、スリット部３ａが形成されている。また、連結凸部３には、スリット部３ａと接続される貫通孔３ｂが形成されている。
【００１４】
また、分割鉄心片２の円周部２ａの他方の端部には、連結凸部３の形状に対応した凹部（以下、連結凹部４という）が形成されている。なお、連結凹部４は、連結凸部３の外径よりも若干大きく形成されている。
【００１５】
次に、本実施例に係る分割固定子積層鉄心における各分割鉄心片の連結方法について説明する。
図３は、本実施例に係る分割固定子積層鉄心における連結前の状態を示した模式図である。
図３に示すように、はじめに、各分割鉄心片２の連結凸部３及び連結凹部４が隣接する分割鉄心片２の連結凸部３及び連結凹部４と対応するように配置する。
【００１６】
図４は、本実施例に係る分割固定子積層鉄心における連結後の状態を示した模式図である。
図４に示すように、次に、各分割鉄心片２の連結凸部３及び連結凹部４と隣接する分割鉄心片２の連結凸部３及び連結凹部４とを嵌合させた上で、各分割鉄心片２の連結凸部３の貫通孔３ｂにピン５を挿入する。なお、本実施例においては、貫通孔３ｂにピン５を挿入することとしているが、これ以外にも、スプリングピンを挿入するようにすることも可能である。
【００１７】
そして、各分割鉄心片２の連結凸部３の貫通孔３ｂにピン５を挿入して、各分割鉄心片２の連結凸部３のスリット部３ａを押し広げることにより、各分割鉄心片２の連結凸部３の外径を大きくすることができるため、各分割鉄心片２の連結凸部３及び連結凹部４と隣接する分割鉄心片２の連結凸部３及び連結凹部４との間の隙間をなくすことができる。
【００１８】
なお、貫通孔３ｂにピン５を挿入する前は、各分割鉄心片２の連結凸部３及び連結凹部４と隣接する分割鉄心片２の連結凸部３及び連結凹部４との間には隙間がある状態となっており、各分割鉄心片２の連結凸部３及び連結凹部４と隣接する分割鉄心片２の連結凸部３及び連結凹部４との嵌合が容易に行えるようになっている。
【００１９】
したがって、本実施例に係る分割固定子積層鉄心１によれば、連結後の連結凸部３と連結凹部４との間には遊びがないため、高精度の寸法形状を実現することができる。
【産業上の利用可能性】
【００２０】
本発明は、例えば、電動機において使用される分割固定子積層鉄心において利用することが可能である。
【符号の説明】
【００２１】
１  分割固定子積層鉄心
２  分割鉄心片
２ａ  円周部
２ｂ  磁極部
３  連結凸部
３ａ  スリット部
３ｂ  貫通孔
４  連結凹部
５  ピン
【図１】
2012115005.tif 000003
【図２】
2012115005.tif 000004
【図３】
2012115005.tif 000005
【図４】
2012115005.tif 000006